(57)【要約】【課題】自動的に開いたり締まったりすることができ、時間と人力を節約でき、占用空間を低減できる全自動日よけシートを提供する。【解決手段】モーターでネジ杆を駆動して、第１の支持杆と第２の支持杆が、前や後へ連動されて摺動し、これにより、第１の主支持杆を介して、主連動棒と第１の連動補助棒が連動され、また、第１の連動補助棒の一端にあるラックを介してギアが連動され、そのため、第２の主支持杆と第２の連動補助棒とにより、連接された第３の主支持杆で日よけシートが開かれ、そして、回転子が浅い傾斜面に係止することにより、自動開く動作が完成し、自動的に締まる時、モーターに連動されるネジ杆により、自由回転子が押されて、固定回転子に噛合ってから傾斜面に沿って深い溝に案内し、その同時に、主連動棒と各主支持杆及び連動補助棒が回収され、そして、モーターによって駆動されたネジ杆により、第１の支持杆と第２の支持杆、主支持座、主連動棒、各主支持杆及び連動補助棒が外管内に回収される。【選択図】図１
0003132696.tif 000002
【実用新案登録請求の範囲】
【請求項１】
主として、
少なくともＡ杆部品とＢ杆部品、Ｃ杆部品及びＤ杆部品等の直径が異なる杆部品が含有され、モーターによって駆動されて、前後に伸縮移動して、第１の支持杆と第２の支持杆が、前か後へ摺動するように連動され、そして、自由回転子と固定回転子とが、連動されて主支持座が押されて第１の主支持杆が連動されるネジ杆と、
ストッパーが設置され、前へ摺動する時、管体一端の係止環によって係止され、また、一端の管内に係止環が設けられ、そして、管外に、嵌合環が設けられ、もう一端に、第１の支持杆と管体とが緊密に固定するための外側係止環が設けられ、これにより、搖動することがない第１の支持杆と、
上端に固定座が設置され、該固定座に、主連動棒に連接されるジョグルジョイント部が設けられ、その内に深いと浅い溝と傾斜面及び雌ねじが設置され、また、自由回転子と固定回転子が起き入れられ、該固定回転子に、高突出部が設けられ、該自由回転子に、低突出部が設けられ、該傾斜面により、固定回転子と自由回転子が係止され、これにより、主支持座が固定されて、また、モーターによりネジ杆が連想されて自由回転子が押されると、固定回転子と噛合ってから、傾斜面にそって、深い溝へ導かれ、そして、第２の支持杆に、更にストッパーが設置され、前へ摺動する時、第１の支持杆の一端にある係止環により係止され、また、外側係止環により、第２の支持杆と第１の支持杆とが緊密に固定され、搖動しないようになる第２の支持杆と、
第１の支持杆の外に嵌設されて、モーター座に固定され、更に、管内に係止環が設けられ、また、管外に嵌合環が嵌設され、そして、外管がある管体と、
ネジによりスリーブに螺着され、ネジ杆に連接される主軸と、
該主軸と第２の支持杆との間に嵌設され、主軸との間にバネが設置され、また、ツイストジョイントが設置され、ツイストジョイントの上端が、主軸の係止縁とともに、バネを圧縮し、後端が、固定回転子と自由回転子に抵当し、また、該ツイストジョイントに第１の主支持杆と連接するための接合部がある主支持座とが含有される全自動日よけシートであって、
更に、少なくとも、
一端に主支持座が連接され、主支持座が上昇や降下することにより、第１の主支持杆が連動され、また、第１の主支持杆により、主連動棒と第１の連動補助棒が連動されて、もう一端が、第２の主支持杆に連結される第１の主支持杆と、
一端が第２の支持杆の固定座に連接され、もう一端が、第１の主支持杆の適当な位置に連接される主連動棒と、
一端に、第２の主支持杆のギアに噛合うラックが設置され、また、内引張ばねが連結され、もう一端が、主動連桿の適当な位置に連接される第１の連動補助棒と、
一端に、第１の連動補助棒のラックに噛合うギアが設置され、また、内引張ばねが連結され、もう一端が、第３の主支持杆に連結される第２の主支持杆と、
一端が第１の主支持杆に連接され、もう一端が、第３の主支持杆に連接される第２の連動補助棒と、
一端が自由端で、もう一端が第２の主支持杆と第２の連動補助棒に連接される第３の主支持杆と、
が含有される、ことを特徴とする全自動日よけシート。
【請求項２】
該Ｄ杆部品に、更に、前後に移動して、自由回転子と固定回転子を押すための押し部が設けられることを特徴とする全自動日よけシート。
【請求項３】
該全自動日よけシートが自動的に締まる時、主支持座のツイストジョイントと第２の支持杆の固定座が、緊密に結合し、また、全自動日よけシートが自動的に開く時、主支持座のツイストジョイントと第２の支持杆の固定座とが、所定の距離を保持しているため、日よけシートが完全に開かれることを特徴とする請求項１に記載の全自動日よけシート。
【考案の詳細な説明】
【技術分野】
【０００１】
本考案は、全自動日よけシートに関し、特に、全自動に締まると開くことができ、時間や人力を節約でき、また、占用空間を低減できる日よけシートに関する
【背景技術】
【０００２】
一般の車用日よけシートは、日よけパッドを利用して車内から日光を遮蔽するため、日光が車体に照射することにより、車内の温度が上昇するため、効果が良くなく、また、それぞれ、フロントウインドーとリアフロントガラス及び各サイドウインドーに実装され、車を使用する時、日よけパッドを外すための時間が掛かるため、不便である。
【考案の開示】
【考案が解決しようとする課題】
【０００３】
本考案の主な目的は、主支持座の先端にツイストジョイントが設置され、該ツイストジョイントの上端と主軸の係止縁によりバネが圧縮され、後端が固定回転子と自由回転子に抵当し、また、該固定回転子に、高突出部が設けられ、自由回転子に低突出部が設けられ、そして、固定回転子と自由回転子とに、それぞれ、互いに噛合うギアが設けられ、モーターが回転してネジ杆で各ネジ杆を引き締まる時、モーターに連動されるネジ杆により、自由回転子が、押されて、固定回転子と噛合ってから固定されて、そして、連動されて、所定の角度に回転され、また、傾斜面に沿って深い溝に案内され、全自動日よけシートが自動的に締まる時、主支持座のツイストジョイントと第２の支持杆の固定座が緊密に結合し、全自動日よけシートが自動的に開く時、主支持座のツイストジョイントと第２の支持杆の固定座とが適当な距離を保持して、日よけシートが完全に開けるようになる全自動日よけシートを提供する。
【課題を解決するための手段】
【０００４】
請求項１の考案は、主として、少なくともＡ杆部品とＢ杆部品、Ｃ杆部品及びＤ杆部品等の直径が異なる杆部品が含有され、モーターによって駆動されて、前後に伸縮移動して、第１の支持杆と第２の支持杆が、前か後へ摺動するように連動され、そして、自由回転子と固定回転子とが、連動されて主支持座が押されて第１の主支持杆が連動されるネジ杆と、ストッパーが設置され、前へ摺動する時、管体一端の係止環によって係止され、また、一端の管内に係止環が設けられ、そして、管外に、嵌合環が設けられ、もう一端に、第１の支持杆と管体とが緊密に固定するための外側係止環が設けられ、これにより、搖動することがない第１の支持杆と、上端に固定座が設置され、該固定座に、主連動棒に連接されるジョグルジョイント部が設けられ、その内に深いと浅い溝と傾斜面及び雌ねじが設置され、また、自由回転子と固定回転子が起き入れられ、該固定回転子に、高突出部が設けられ、該自由回転子に、低突出部が設けられ、該傾斜面により、固定回転子と自由回転子が係止され、これにより、主支持座が固定されて、また、モーターによりネジ杆が連想されて自由回転子が押されると、固定回転子と噛合ってから、傾斜面にそって、深い溝へ導かれ、そして、第２の支持杆に、更にストッパーが設置され、前へ摺動する時、第１の支持杆の一端にある係止環により係止され、また、外側係止環により、第２の支持杆と第１の支持杆とが緊密に固定され、搖動しないようになる第２の支持杆と、第１の支持杆の外に嵌設されて、モーター座に固定され、更に、管内に係止環が設けられ、また、管外に嵌合環が嵌設され、そして、外管がある管体と、ネジによりスリーブに螺着され、ネジ杆に連接される主軸と、該主軸と第２の支持杆との間に嵌設され、主軸との間にバネが設置され、また、ツイストジョイントが設置され、ツイストジョイントの上端が、主軸の係止縁とともに、バネを圧縮し、後端が、固定回転子と自由回転子に抵当し、また、該ツイストジョイントに第１の主支持杆と連接するための接合部がある主支持座とが含有される全自動日よけシートであって、更に、少なくとも、一端に主支持座が連接され、主支持座が上昇や降下することにより、第１の主支持杆が連動され、また、第１の主支持杆により、主連動棒と第１の連動補助棒が連動されて、もう一端が、第２の主支持杆に連結される第１の主支持杆と、一端が第２の支持杆の固定座に連接され、もう一端が、第１の主支持杆の適当な位置に連接される主連動棒と、一端に、第２の主支持杆のギアに噛合うラックが設置され、また、内引張ばねが連結され、もう一端が、主動連桿の適当な位置に連接される第１の連動補助棒と、一端に、第１の連動補助棒のラックに噛合うギアが設置され、また、内引張ばねが連結され、もう一端が、第３の主支持杆に連結される第２の主支持杆と、一端が第１の主支持杆に連接され、もう一端が、第３の主支持杆に連接される第２の連動補助棒と、一端が自由端で、もう一端が第２の主支持杆と第２の連動補助棒に連接される第３の主支持杆と、が含有されることを特徴とする全自動日よけシートである。
【０００５】
請求項２の考案は、該Ｄ杆部品に、更に、前後に移動して、自由回転子と固定回転子を押すための押し部が設けられることを特徴とする全自動日よけシートである。
【０００６】
請求項３の考案は、該全自動日よけシートが自動的に締まる時、主支持座のツイストジョイントと第２の支持杆の固定座が、緊密に結合し、また、全自動日よけシートが自動的に開く時、主支持座のツイストジョイントと第２の支持杆の固定座とが、所定の距離を保持しているため、日よけシートが完全に開かれることを特徴とする請求項１に記載の全自動日よけシートである。
【考案を実施するための最良の形態】
【０００７】
本考案は、図１乃至４と図２Ａを参照しながら、主として、ネジ杆１００と第１の支持杆２００、第２の支持杆３００、管体４００、主軸５００及び主支持座６００が含有され、主軸５００は、ネジ１０によりスリーブ２０に螺着され、ネジ杆１００に連接され、該ネジ杆１００は、モーターによって駆動され、ネジ杆１００は、Ａ杆部品１１とＢ杆部品１２、Ｃ杆部品１３及びＤ杆部品１４等の直径が異なる杆部品が含有され、前後に伸縮することにより、第１の支持杆２００と第２の支持杆３００が、前か後へ押されて、該Ｄ杆部品１４は、押し部１４０が設置され、押し部１４０の先端に、自由回転子３０と固定回転子４０が設置され、前後に移動することにより、自由回転子３０と固定回転子４０が摺動するようになり、ネジ杆１００の前後に伸縮移動することにより、第１の支持杆２００と第２の支持杆３００とが連動されて前や後へ摺動し、また、該主軸５００と第２の支持杆３００との間に、主支持座６００が嵌設され、主支持座６００と主軸５００との間に、バネ５０が設置され、そして、該第２の支持杆３００内に、浅い溝１と深い溝２及び傾斜面３が設置され、自由回転子３０と固定回転子４０が置き入れられ、また、第１の支持杆２００の外に管体４００が嵌設されてモーター座に固定され、該管体４００の先端において、管内に係止環４１０が設けられ、管外に嵌合環４２０が嵌設され、そして、外管７００が嵌設される。
【０００８】
主軸５００は、蓋体７０が嵌設され、ネジ１０によりスリーブ２０に螺着され、また、ネジ杆１００が連接され、第２の支持杆３００をネジ杆１００に嵌設することにより、第１の支持杆２００が、第２の支持杆３００に嵌設され、該主軸５００と第２の支持杆３００との間に、主支持座６００が嵌設され、主支持座６００と主軸５００との間にバネ５０が設置され、管体４００が、第１の支持杆２００の外に嵌設されて、モーター座に固定され、そして、更に外管７００が嵌設され、その中、該第１の支持杆２００が六角形で、外にストッパー４が設置され、これにより、前へ摺動する時、管体４００の一端にある係止環４１０によって係止され、また、第１の支持杆２００の前後端に、それぞれ、係止環４１０と嵌合環４２０及び外側係止環４３０が設置され、該先端係止環４１０が管内に設けられ、嵌合環４２０が管外に嵌設され、これにより、第２の支持杆３００のストッパー４が、第１の支持杆２００の係止環４１０により係止され、その後端の外側係止環４３０により、第１の支持杆２００と管体４００とが緊密に固定され、搖動しないようになる。
【０００９】
該第２の支持杆３００が六角形で、外にストッパー４が設置され、これにより、前へ摺動する時、第１の支持杆２００の一端にある係止環４１０によって係止され、第２の支持杆３００の先端に固定座３１０が設置され、後端の外側係止環４３０により、第２の支持杆３００と第１の支持杆２００とが緊密に固定され、搖動しないようになる。
【００１０】
また、該固定回転子４０に高突出部４０１が設けられ、自由回転子３０に低突出部３０１が設けられ、また、固定回転子４０と自由回転子３０に、それぞれ、互いに噛合うギア１０１が設けられ、モーターが回転することにより、ネジ杆１００でＡ杆部品１１とＢ杆部品１２、Ｃ杆部品１３及びＤ杆部品１４が回収される時、モーターによって連動されるネジ杆１００は、まず、自由回転子３０を前へ押し出して、固定回転子４０と噛合うと後へ回收することにより、固定回転子４０が、連動されて所定の角度に回転し、そして、傾斜面３に沿って、深い溝２に案内される。
【００１１】
図５を参照しながら、該第２の支持杆３００の上端に固定座３１０が設置され、該固定座３１０は、ジョグルジョイント部３１１を介して、それぞれ、主連動棒５１が連接され、主連動棒５１のもう一端が、第１の主支持杆５２の適当な位置に連接され、また、主連動棒５１の適当な位置で、第１の連動補助棒５３に連接され、該第２の支持杆３００と主軸５００との間に、主支持座６００が嵌設され、該主支持座６００にツイストジョイント６１０が設置され、ツイストジョイント６１０は、上端と主軸５００の係止縁５１０により、バネ５０が圧縮され、後端が、固定回転子４０と自由回転子３０に抵当し、また、ツイストジョイント６１０の接合部６１１と第１の主支持杆５２が連接され、主支持座６００が上昇や降下により、第１の主支持杆５２を介して、主連動棒５１と第１の連動補助棒５３が連動され、該第１の連動補助棒５３は、一端に設置されたラック５３１が、第２の主支持杆５４のギア５４０に噛合い、また、内引張ばね５４１に連結され、もう一端が、主動連桿５１の適当な位置に連接され、第１の主支持杆５２のもう一端が、第２の主支持杆５４に連結されることにより、該第２の主支持杆５４と第３の主支持杆５５とが連結され、該第３の主支持杆５５が第２の連動補助棒５６に連接され、そして、該第２の連動補助棒５６のもう一端が第１の主支持杆５２に連接される。
【００１２】
図６を参照しながら、該ネジ杆１００は、モーターによって駆動されて、第１の支持杆２００と第２の支持杆３００とが連動されて、前や後へ摺動することにより、自由回転子３０と固定回転子４０とを押すことにより、主支持座６００を介して、第１の主支持杆５２が連動されて、前へ摺動する時、第２の支持杆３００のストッパー４が、第１の支持杆２００の一端にある係止環４１０により係止されて、第１の支持杆２００が連動されて、第１の支持杆２００のストッパー４が管体４００の一端にある係止環４１０によって係止されるまで前へ摺動して、停止し、この時、ネジ杆１００のＤ杆部品１４により、固定回転子４０と自由回転子３０が前へ押されて、そして、主支持座６００を押し、バネ５０が、主軸５００によって前へ延ばされることにより、蓋体７０を開いて、バネ５０が、開かれた主軸５００と主支持座６００のツイストジョイント６１０との間に抵当する。
【００１３】
図７乃至図９を参照しながら、本考案のより良い実施例であり、全自動日よけシート８００を車９００に設置する時の態様である。
【００１４】
全自動日よけシート８００が自動的に引き締まる時、主支持座６００のツイストジョイント６１０と第２の支持杆３００の固定座３１０が、緊密に結合し、全自動日よけシート８００が自動的に開く時、主支持座６００のツイストジョイント６１０と第２の支持杆３００の固定座とが、日よけシート１０００が完全に開くために、適当な距離を保持し、そのため、本考案は、より進歩的かつより実用的で、法に従って実用新案登録請求を出願する。
【００１５】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１６】
【図１】本考案の組立て断面図
【図２】本考案の局部の組立て断面図
【図２Ａ】本考案の局部の拡大断面図
【図３】本考案の立体分解図
【図４】本考案の部品の正面と透視図
【図５】本考案の局部拡大図
【図６】本考案の動作概念図
【図７】本考案のより良い実施例の概念図
【図８】本考案のより良い実施例の日よけシートが開かれる時の概念図
【図９】本考案のより良い実施例の日よけシートを覆う時の車体概念図
【符号の説明】
【００１７】
１          浅い溝
１０        ネジ
１００      ネジ杆
１０００    日よけシート
１０１      ギア
１１        Ａ杆部品
１２        Ｂ杆部品
１３        Ｃ杆部品
１４        Ｄ杆部品
１４０      押し部
２          深い溝
２０        スリーブ
２００      第１の支持杆
３          傾斜面
３０        自由回転子
３００      第２の支持杆
３０１      低突出部
３１０      固定座
３１１      ジョグルジョイント部
４          ストッパー
４０        固定回転子
４００      管体
４０１      高突出部
４１０      係止環
４２０      嵌合環
４３０      外側係止環
５０        バネ
５００      主軸
５１        主連動棒
５１０      係止縁
５２        第１の主支持杆
５３        第１の連動補助棒
５３１      ラック
５４        第２の主支持杆
５４０      ギア
５４１      内引張ばね
５５        第３の主支持杆
５６        第２の連動補助棒
６００      主支持座
６１０      ツイストジョイント
６１１      接合部
７０        蓋体
７００      外管
８００      全自動日よけシート
９００      車
【図１】
0003132696.tif 000003
【図２】
0003132696.tif 000004
【図２Ａ】
0003132696.tif 000005
【図３】
0003132696.tif 000006
【図４】
0003132696.tif 000007
【図５】
0003132696.tif 000008
【図６】
0003132696.tif 000009
【図７】
0003132696.tif 000010
【図８】
0003132696.tif 000011
【図９】
0003132696.tif 000012
【手続補正書】
【提出日】平成19年4月5日(2007.4.5)
【手続補正１】
【補正対象書類名】実用新案登録請求の範囲
【補正対象項目名】請求項２
【補正方法】変更
【補正の内容】
【請求項２】
前記Ｄ杆部品に、更に、前後に移動して、自由回転子と固定回転子を押すための押し部が設けられることを特徴とする請求項１記載の全自動日よけシート。